(57)【特許請求の範囲】
【請求項１】
端部に係合孔１３を有する合成樹脂製電線保護管１０が各々両端より嵌合自在とされた略欠円筒状の合成樹脂製継手本体２と、該継手本体２内に中間仕切壁５を介して同心状に内設された略欠円筒状の合成樹脂製内筒部材４とよりなり、上記内筒部材４の外周面には係合孔１３に各々係合せしめるべく中間仕切壁５をはさんで両側一対の係合突起６が突設されると共に、該各係合突起６には内筒部材４の開放端方向および円周方向に向けて各々傾斜面状の係合用ガイド部７と解除用ガイド部８とが各々形成され、かつ、該両側の係合突起６に対応すべく継手本体２には各々所要形状の逃げ用開口部９が形成されてなることを特徴とする、電線保護管用継手。
【発明の詳細な説明】
【０００１】
【発明の属する技術分野】
この発明は、電線保護管を連結せしめるさいに使用する継手に関する。
【０００２】
【従来の技術】
従来より、電線保護管は所要の長さに連結せしめて架空配電線やケ−ブル等に外嵌状に装着し、建築工事機械や樹木等の接触に伴う損傷を有効に防止するものとされている。
ところで、かかる電線保護管を連結せしめるさいには、電線保護管どうしを直接的に連結せしめる実公昭４０−３１４０４号公報等に記載のものや、継手を介して間接的に連結せしめる実公昭５４−８４００号公報等に記載のものが知られており、これを図面に基づいて説明する。
【０００３】
図７は直接的に連結すべく構成された電線保護管１０１を示すもので、同図中
、１０２は電線保護管１０１を構成する合成樹脂製筒状本体で、該本体１０２は架空配電線やケ−ブル等に外嵌自在とされた所要の径と長さを有するものとされている。１０３は本体１０２の長手方向に沿って形成された拡開用切目、１０４は本体１０２の一端部に突設された両側一対の略楔状係合突起、１０５は同他端部に一体形成された切目１０６付き嵌合部、１０７は係合突起１０４に対応すべく該嵌合部１０５に形成された両側一対の係合孔で、嵌合部１０５の内径は本体１０２端部外径とほぼ同一寸法に設定されている。
【０００４】
そして、上述の如く構成された従来例は、連結すべき電線保護管１０１のうち、一方の本体１０２自由端を他方の嵌合部１０５に嵌合せしめると共に、その係合突起１０４を係合孔１０７に係合せしめて連結するものである。
逆に、電線保護管１０１どうしの連結を解くさいには、本体１０２自由端を嵌合部１０５内に強く圧入せしめ、切目１０６に沿って嵌合部１０５を拡開せしめつつ、係合突起１０４と係合孔１０７との係合を解除せしめて連結を解くものである。
【０００５】
図８は継手２０１により電線保護管２０２を間接的に連結せしめる構造を示すもので、同図中、２０３は継手２０１を構成する所要の長さを備えた合成樹脂製筒状継手本体で、該継手本体２０３は両端より電線保護管２０２端部を嵌合せしめるべく所要の内径を有するものとされている。２０４は継手本体２０３の長手方向に沿って形成された拡開用切目、２０５は該継手本体２０３の両端に各々形成された略楔形状の係合突起、２０６は切目２０４の両端部に各々形成された切欠きである。
２０７は電線保護管２０２を構成する所要の径と長さを有する合成樹脂製の筒状本体、２０８は該本体２０７の長手方向に沿って形成された拡開用切目、２０９は該切目２０８の両側縁に沿って起立形成された舌片、２１０は前記係合突起２０５に対応すべく本体２０７の両端部に各々形成された略三角形状の係合孔である。
【０００６】
そして、上述の如く構成された従来例は、継手本体２０３の両端部に各々電線保護管２０２の本体２０７自由端を嵌合せしめると共に、舌片２０９を切欠き２０６に掛止せしめつつ、係合孔２１０に係合突起２０５を係合せしめて連結するものである。
逆に、電線保護管２０２の連結を解くさいには、電線保護管２０２と継手２０１とをひねるように回動せしめることにより切目２０４に沿って継手本体２０３を拡開せしめつつ、係合孔２１０と係合突起２０５との係合を解除せしめてその連結を解くものである。
【０００７】
【発明が解決しようとする課題】
ところで、電線保護管１０１どうしを直接的に連結せしめる上記従来例においては、嵌合部１０５に本体１０２端部を嵌合せしめつつ係合孔１０７に略楔形状の係合突起１０４を係合せしめるものであるから、電線保護管１０１の連結を極めて容易に、しかも、確実に行うことが出来る反面、電線保護管１０１の連結を解くさいには、本体１０２自由端を嵌合部１０５内に強く圧入せしめ、切目１０６に沿って嵌合部１０５を拡開せしめつつ係合孔１０７と係合突起１０４との係合を解除しなければならないものであって、その作業が非常に面倒で手間がかかり、極めて作業性の悪いものとなっていた。
【０００８】
また、電線保護管２０２を継手２０１により間接的に連結せしめる上記従来例においても、継手本体２０３に本体２０７の自由端を嵌合せしめつつ係合孔２１０に略楔形状係合突起２０５を係合せしめることにより、電線保護管２０２を容易に、しかも、確実に連結せしめることが出来る反面、電線保護管２０２の連結を解くさいには、電線保護管２０２と継手２０１とをひねるように回動せしめつつ、切目２０４に沿って継手本体２０３を拡開せしめて係合孔２１０と係合突起２０５との係合を解除せしめなければならないものであって、前記従来例と同様に極めて作業性の悪いものとなっていた。
【０００９】
この発明は、従来例の問題点を一挙に解決し、電線保護管を継手により極めて容易に、しかも、迅速かつ確実に連結せしめることが出来るのみならず、ワンタッチで簡単にその連結を解くことが出来る電線保護管用継手を提供しようとするものである。
【００１０】
【課題を解決するための手段】
即ち、この発明は、端部に係合孔１３を有する合成樹脂製電線保護管１０が各々両端より嵌合自在とされた略欠円筒状の合成樹脂製継手本体２と、該継手本体２内に中間仕切壁５を介して同心状に内設された略欠円筒状の合成樹脂製内筒部材４とよりなり、上記内筒部材４の外周面には係合孔１３に各々係合せしめるべく中間仕切壁５をはさんで両側一対の係合突起６が突設されると共に、該各係合突起６には内筒部材４の開放端方向および円周方向に向けて各々傾斜面状の係合用ガイド部７と解除用ガイド部８とが各々形成され、かつ、該両側の係合突起６に対応すべく継手本体２には各々所要形状の逃げ用開口部９が形成されてなることを特徴とする、電線保護管用継手を要旨とするものである。
【００１１】
そして、この発明に係る電線保護管用継手１は、電線保護管１０の自由端を各々内筒部材４に沿わせつつ継手本体２の両端に嵌合せしめると共に、逃げ用開口部９より逃がしながら係合用ガイド部７にガイドせしめつつ係合孔１３を係合突起６に係合して連結せしめる。
逆に、電線保護管１０の連結を解くさいには、電線保護管１０を所定方向に回転せしめつつ、逃げ用開口部９より逃がしながら係合孔１３孔縁を解除用ガイド部８に沿ってガイドせしめて係合突起６との係合を解除せしめるものである。
【００１２】
【発明の実施の形態】
以下に、この発明の実施の形態を図面に示す一実施例について説明する。
１は合成樹脂製の継手、２は該継手１を構成する所要の長さと径を備えた断面略欠円筒状の継手本体で、該継手本体２の内径は後記する電線保護管１０の本体１１自由端を嵌合せしめるべく所要の径に設定せしめられている。３は継手本体２の長手方向に沿う開口縁に沿って各々一体に起立形成された両側一対の舌片、４は継手本体２内に位置決め兼用の中間仕切壁５を介して同心状に内設された略欠円筒状の合成樹脂製内筒部材で、該内筒部材４は後記する電線保護管１０の嵌合をガイドせしめるべく継手本体２より若干長尺状に形成されると共に、継手本体２との間隙は電線保護管１０が嵌合自在な大きさに設定せしめられている。６は中間仕切壁５をはさんで内筒部材４の両側外周面に対向状に突設された両側一対の筒状係合突起で、該各係合突起６は各々内筒部材４の開放端方向に向けて傾斜面状の係合用ガイド部７が形成されると共に、円周方向に向けて傾斜面状の解除用ガイド部８が形成されている。９は両側の係合突起６に対応すべく継手本体２に形成された方形状の逃げ用開口部である。
１０は所要の長さと径を備えた合成樹脂製電線保護管、１１は該電線保護管１０を構成する本体で、該本体１１は長手方向に沿う両側縁の一部を巻重ねて円筒状に形成されている。１２は該本体１１の両端縁に各々形成された切欠き、１３は前記係合突起６に対応すべく本体１１の両端部に各々形成された丸孔状の係合孔である。その他、Ａは架空配電線を示す。
【００１３】
そして、上述の如く構成された実施例は、電線保護管１０の本体１１自由端を各々内筒部材４に外嵌状に沿わせつつ、継手本体２の両端に嵌合せしめると共に、本体１１先端を逃げ用開口部９より逃がしながら傾斜面状の係合用ガイド部７にガイドせしめつつ係合孔１３を係合突起６に係合せしめて連結せしめる。このさい、中間仕切壁５は電線保護管１０の嵌合時における位置決め用として作用するものである。
逆に、電線保護管１０の連結を解くさいには、電線保護管１０の本体１１を所定方向に回転せしめ、逃げ用開口部９より逃がしながら係合孔１３の孔縁を傾斜面状の解除用ガイド部８に沿ってガイドせしめつつ係合突起６との係合を解除せしめるものである。
【００１４】
なお、上記実施例において、係合突起６は円筒状に形成されているが、円柱状等所要の形状に形成せしめてもよく、また、その個数も必要に応じて増加せしめてもよいものである。また、電線保護管１０は、本体１１の長手方向に沿う両側縁の一部を巻重ねて円筒状に形成されているが、これに限定されるものでなく、他の公知の電線保護管形状に形成せしめてもよいものである。
【００１５】
【発明の効果】
この発明によれば、以上の次第で、端部に係合孔１３を有する合成樹脂製電線保護管１０が各々両端より嵌合自在とされた略欠円筒状の合成樹脂製継手本体２と、該継手本体２内に中間仕切壁５を介して同心状に内設された略欠円筒状の合成樹脂製内筒部材４とよりなり、上記内筒部材４の外周面には係合孔１３に各々係合せしめるべく中間仕切壁５をはさんで両側一対の係合突起６が突設されると共に、該各係合突起６には内筒部材４の開放端方向および円周方向に向けて各々傾斜面状の係合用ガイド部７と解除用ガイド部８とが各々形成され、かつ、該両側の係合突起６に対応すべく継手本体２には各々所要形状の逃げ用開口部９が形成されているから、電線保護管１０の自由端を各々内筒部材４に沿わせつつ継手本体２の両端に嵌合せしめると共に、逃げ用開口部９から逃がしながら係合用ガイド部７にガイドせしめつつ係合孔１３を係合突起６に係合せしめるという極めて簡単な操作でもって電線保護管１０を迅速、かつ、確実に連結せしめることが出来るのみならず、連結を解くさいにおいても、電線保護管１０を所定方向に回転せしめつつ、逃げ用開口部９から逃がしながら係合孔１３の孔縁を解除用ガイド部８に沿ってガイドせしめて係合突起６との係合を解除せしめるという極めて簡単な操作でもって迅速、かつ、確実に、しかも作業性よく連結を解くことが出来るものである。
【図面の簡単な説明】
【図１】  この発明の一実施例を示す分解斜視図である。
【図２】  継手１を示す平面図である。
【図３】  継手１を示す側面図である。
【図４】  継手１により電線保護管１０を連結せしめた状態を示す縦断面図である。
【図５】  図４のＩ−Ｉ線に沿う断面図である。
【図６】  図４のＩＩ−ＩＩ線に沿う断面図である。
【図７】  従来例を使用状態と共に示す斜視図である。
【図８】  他の従来例を示す分解斜視図である。
【符号の説明】
１    継手
２    継手本体
４    内筒部材
５    中間仕切壁
６    係合突起
７    係合用ガイド部
８    解除用ガイド部
９ 逃げ用開口部
１０  電線保護管
１３  係合孔
【図１】
0003940480.tif 000002
【図２】
0003940480.tif 000003
【図３】
0003940480.tif 000004
【図４】
0003940480.tif 000005
【図５】
0003940480.tif 000006
【図６】
0003940480.tif 000007
【図７】
0003940480.tif 000008
【図８】
0003940480.tif 000009